(57)【特許請求の範囲】
【請求項１】
一端部が最初に口部となるひだ付き筒状体の他端部を閉鎖して底部閉鎖部とし、前記一端部から内容物を充填した後に前記一端部を封緘するようにした紙袋において、
前記底部閉鎖部が、前記ひだ付き筒状体の前記他端部を少なくとも１回以上折り曲げ、この折曲げ部を開封テープ付きの当て紙で包囲固定して形成され、開封時には前記当て紙を前記開封テープを用いて引き破って前記底部閉鎖部を開き、２度目以降の使用時にはこの開封した前記底部閉鎖部から内容物を充填した後にこの他端部を再封緘する再封緘手段が当該他端部に設けられており、
前記底部閉鎖部を開いた後の前記紙袋の２度目以降の使用時に内容物充填口となった前記底部閉鎖部を再閉鎖する前記再封緘手段が、前記ひだ付き筒状体の前記他端部における一方の壁部に、ほぼ全幅に亘り貼り付けられた締結用バンドからなり、前記紙袋の最初の使用時における前記底部閉鎖部が、前記ひだ付き筒状体の両側縁部から突出する前記締結用バンドの端部を前記ひだ付き筒状体の前記他端部壁面に折り重ね、この他端部を前記締結用バンドと共に少なくとも１回以上折り曲げ、この折曲げ部を開封テープ付きの当て紙で包囲固定して形成され、前記紙袋の２度目以降の使用時には、開封した前記底部閉鎖部から内容物を充填した後にこの開封端部を１回若しくはそれ以上折り曲げて前記締結用バンドの両端同士を縛ることでこの折曲げ部を絞って閉鎖することを特徴とする複数回使用可能な紙袋。
【請求項２】
前記ひだ付き筒状体が２層で形成されていることを特徴とする請求項１のいずれかに記載の複数回使用可能な紙袋。
【請求項３】
前記ひだ付き筒状体の前記他端部が直線切り又は階段切りで形成されていることを特徴とする請求項１または２のいずれかに記載の複数回使用可能な紙袋。
【発明の詳細な説明】
【０００１】
【発明の属する技術分野】
この発明は複数回使用可能な紙袋に関し、更に詳しくは一度使用した後に再度使用する時、内容物の充填口を簡単に且つ厳重に封緘できるようにした複数回使用可能な紙袋に関する。
【０００２】
【従来の技術】
従来、飼料、セメント、穀物、肥料或いは樹脂ペレット等（以下、「内容物」と称する）を入れて輸送するために使用されるクラフト紙からなる紙袋は、両端が階段切りで形成されたひだ付き筒状体を主たる構成要素とし、紙袋の口部となるひだ付き筒状体の一端部における階段面（以下、口部階段面という）に樹脂系のホットメルト接着剤を塗布し、ひだ付き筒状体の他端部を定法に従って封緘して底部閉鎖部として構成されているものが一般的であった。
【０００３】
上述したような従来の紙袋には、内容物を充填して口部を封緘し、これを輸送や保管等に用いた後に内容物を取り出す時、当該紙袋の開封を容易にするために種々の工夫をしたものも知られている。その一例としては前述した底部閉鎖部に独特の工夫がなされたものがある。
【０００４】
具体的には、底部閉鎖部の構造が、ひだ付き筒状体の他端部を複数回巻き込むように折り曲げ、この折曲げ部を跨ぐようにその全幅に亘る長さの開封テープ付き当て紙で包囲し、この当て紙の両端部をそれぞれひだ付き筒状体の各壁面に接着剤で接着して形成したものである。
【０００５】
このような紙袋によると、内容物を充填した後の開封の際には、この紙袋を倒立させ、内容物充填口であった一端部を下にすることにより底部閉鎖部を上にし、当て紙の内面に接着されている開封テープを端から引き上げて当て紙を引き破り、内部からひだ付き筒状体の折曲げ部である他端部を引き出し、これを折り戻して開封口とするものである。
【０００６】
【発明が解決しようとする課題】
近年、資源の節約化の観点から製品の繰り返し使用が求められており、この種の紙袋についても例外ではなくなってきている。しかしながら、従来の紙袋の構成では、少なくとも一部を再加工しなければ繰り返して使用することはできない。
【０００７】
すなわち、従来の紙袋では、内容物が充填された後には口部階段面を当該階段面に塗布されたホットメルト接着剤を再活性させた後に折り曲げてひだ付き筒状体の壁面に強固に接着しているため、この封緘口部を開けるには刃物で切り開くしかなく、もしそのようにして開封すれば、簡単に再封緘することはほとんど困難である。
【０００８】
また、前述した開封容易な紙袋の場合には、底部閉鎖部が端部を数回折り曲げ（巻き込み）、この折曲げ部を当て紙で包囲固定しているため、当て紙を引き破って巻き込んだ端部を元に戻して開封した後にこの開封部分を簡単に再封緘することも困難である。
【０００９】
その理由について簡単に説明すると、家庭で使用する簡易な紙袋等を複数回使用する場合、ほとんどの場合内容物の漏れや容積の縮小などを心配する必要がなく、従って一度使用した紙袋でも開封口を再封緘できるように鋏などを用いて再びフラップを形成する等の加工を簡単に行った上で、再び内容物を入れた後に当該フラップに糊を付けて封緘することができる。
【００１０】
しかし、飼料、セメント、穀物、肥料或いは樹脂ペレット等を入れて輸送や保管等の業務用の使用に供する紙袋を複数回使用する場合には、漏れなどの発生を生じないように厳重に再封緘する必要があると共に容積も縮小してはならない。そのためには、内容物充填現場で作業員が紙袋の開封口を再加工したりすることはできず、また糊の塗布も精密に行わなければ漏れの発生原因となる。
【００１１】
従って、この種の紙袋を複数回使用できるようにするには、予め製袋工場で周到な準備、即ち複数回使用ができるような設計がなされていないと無理なのである。しかし、従来の紙袋では、本来的に複数回使用の思想がないためにそのような構成にはなっておらず、そのためほとんどの場合、焼却処分とされていた。
【００１２】
この発明の目的は、かかる従来の問題点を解決するためになされたもので、一度使用した紙袋を、漏れの発生がなく且つ内容積の変化を与えることなく簡単に複数回使用できるようにした複数回使用可能な紙袋を提供することにある。
【００１３】
【課題を解決するための手段】
この発明は、一端部が最初に口部となるひだ付き筒状体の他端部を閉鎖して底部閉鎖部とし、前記一端部から内容物を充填した後に前記一端部を封緘するようにした紙袋において、前記底部閉鎖部が、前記ひだ付き筒状体の前記他端部を少なくとも１回以上折り曲げ、この折曲げ部を開封テープ付きの当て紙で包囲固定して形成され、開封時には前記当て紙を前記開封テープを用いて引き破って前記底部閉鎖部を開き、２度目以降の使用時にはこの開封した前記底部閉鎖部から内容物を充填した後にこの他端部を再封緘する再封緘手段が当該他端部に設けられており、前記底部閉鎖部を開いた後の前記紙袋の２度目以降の使用時に内容物充填口となった前記底部閉鎖部を再閉鎖する前記再封緘手段が、前記ひだ付き筒状体の前記他端部における一方の壁部に、ほぼ全幅に亘り貼り付けられた締結用バンドからなり、前記紙袋の最初の使用時における前記底部閉鎖部が、前記ひだ付き筒状体の両側縁部から突出する前記締結用バンドの端部を前記ひだ付き筒状体の前記他端部壁面に折り重ね、この他端部を前記締結用バンドと共に少なくとも１回以上折り曲げ、この折曲げ部を開封テープ付きの当て紙で包囲固定して形成され、前記紙袋の２度目以降の使用時には、開封した前記底部閉鎖部から内容物を充填した後にこの開封端部を１回若しくはそれ以上折り曲げて前記締結用バンドの両端同士を縛ることでこの折曲げ部を絞って閉鎖することを特徴とを特徴としている。
【００１７】
またこの発明では、前記ひだ付き筒状体が２層で形成されていることを特徴としている。勿論、ひだ付筒状体を２層以上で形成しても良い。
【００１８】
またこの発明では、前記ひだ付き筒状体の前記他端部が直線切り又は階段切りで形成されていることを特徴としている。
【００１９】
【発明の実施の形態】
以下、この発明の複数回使用可能な紙袋を図に示される実施形態について更に詳細に説明する。図１はこの発明の一実施形態に係る複数回使用可能な紙袋１０（以下、単に「紙袋」と称する）を偏平状態で概略的に示す平面図であり、図２は図１に示される紙袋１０を２−２線に沿って切断した時の構造を模式的に示す断面図である。
【００２０】
また、図３はこの実施形態に係る紙袋１０の基本構成要素である２層のひだ付き筒状体１１を偏平状態で示す平面図である。このひだ付き筒状体１１は、主にクラフト紙から形成され、図１及び図３に示されるように両端部が階段切りで形成され、両端部の階段面はまったく対称に形成されている。すなわち、ひだ付き筒状体１１における両端の階段切り構造はほぼ同一で、しかしその階段切り面の向きが相反している。
【００２１】
このような２層のひだ付き筒状体１１は、既によく知られているのでその詳細な説明は省略する。この実施形態に係る紙袋１０は、前述した２層のひだ付き筒状体１１を基本構成要素として、その一端部をこの紙袋１０の初回使用時における口部１２とし、他端部を閉塞して底部閉鎖部１３として構成されている。
【００２２】
この紙袋１０の口部１２は、ひだ付き筒状体１１の階段切り一端部における最も下側の端縁即ち最外層の端縁１４にほぼ沿った中央寄りに位置する仮想の横断線を折曲げ予定線１５とし、この折曲げ予定線１５よりも外側の階段切り端部全体を口部側のフラップ１６とする。
【００２３】
この折曲げ予定線１５により区画形成されたフラップ１６が、当該折曲げ予定線１５で折り曲げられて紙袋１０の壁面１７ａに重なる領域部分には、粘着剤層１８が設けられ、更にこの粘着剤層１８の表面には離型紙１９が貼り付けられている（この離型紙１９はフラップ１６が重ね合わされる際には剥がされる）。粘着剤層１８とその粘着面を一時的に保護する離型紙１９とは、市販されている所定幅の両面接着テープを壁面１７ａと同じ幅寸法の長さに切って貼り付けることによって設けることができる。
【００２４】
次に、この実施形態に係る紙袋１０における底部閉鎖部１３の構成について説明する。図２及び図３から明らかなように、ひだ付き筒状体１１の他端部である階段切り端面において外方向突出側の外層端部と内層端部との間であって、しかもひだの端部を横断する位置に再封緘手段として紙製の締結バンド２０が配置され、外層端部２１又は内層端部２２のいずれか一方若しくは両方に強固に接着固定されている。
【００２５】
この紙製の締結バンド２０は、この紙袋１０の２度目以降の使用時に口部となるこの端部を閉鎖するために当該紙製の締結バンド２０の両端を縛ってこの端部を絞るものであり、従って図３に示されるようにひだ付き筒状体１１の両側から適宜の長さ突出している。この紙製の締結バンド２０は、紙を針金状に形成した複数の紙製線材を平坦面上に並べて糊で相互に接着して形成されているもので、比較的に硬質な材質である。
【００２６】
この紙製の締結バンド２０は、従来の紙袋でも口部を閉鎖するのに使用されているもので、それ自体はすでによく知られている。このような紙製の締結バンド２０がひだ付き筒状体１１の最外端の内外層間に配置固定された他端部の階段部は、先端側から巻き込むように少なくとも２度折り曲げて折曲げ部２３が形成される。
【００２７】
その後、この折曲げ部２３は、これを跨ぐようにその全幅に亘る長さの当て紙２４で包囲され、この当て紙２４の両端部はそれぞれひだ付き筒状体１１の各壁面１７ａ、１７ｂに接着剤２５で接着される。このようにして紙袋１０の底部閉鎖部１３は形成される。この底部閉鎖部１３を構成している当て紙２４における両端接着部間の内面には非常に薄い樹脂製の強靭な開封テープ２６がその幅方向に亘って貼り付けられている。
【００２８】
なお、このような底部閉鎖部１３を形成する際には、ひだ付き筒状体１１の両側から突出している紙製の締結バンド２０の端部は邪魔になるので、ひだ付き筒状体１１の他端部を巻き込む時に紙製の締結バンド２０の突出端部をひだ付き筒状体１１の他端部表面上に折り曲げ、一緒に巻き込んでおくことが好ましい。
【００２９】
このように底部閉鎖部１３は、ひだ付き筒状体１１の他端部を２回若しくはそれ以上巻き込むように折り曲げて、この折曲げ部２１を当て紙２４で包囲固定しただけのものであり、折曲げ部２３は接着剤などで接着されてはいない。従って、開封テープ２６を端部から引き上げて当て紙２４に線状の切れ目を入れて広げ、当て紙２４の内部から折曲げ部２３を元の状態に折り戻しながら引き出せば、その端部を簡単に開封することができる。
【００３０】
次に、以上のように構成された本実施形態に係る紙袋１０の使用方法について説明する。今、図１に示される状態にある本実施形態に係る紙袋１０の一端部である口部１２を開いて当該紙袋１０の内部に内容物が所定量充填されたとする。その後、この紙袋１０の口部側壁面１７ａに設けられている粘着剤層１８の表面上に、これを覆っている離型紙１９を剥がした上で口部側のフラップ１６が折曲げ予定線１５で折り曲げられて折り重ねられ、接着される。
【００３１】
このようにして口部１２が厳重に封緘された紙袋１０は、輸送や保管など所定の目的に用いられる。次いで、この紙袋１０内に充填された内容物を取り出す場合には、既に説明したように底部閉鎖部１３を上にして当て紙２４が開封テープ２６を利用して引き破られ、当て紙２４の内部から折曲げ部２３が元の状態に折り戻されて開封口とされ、ここから内容物が取り出される。図４には内容物を取り出した後の紙袋１０が偏平状態で示されている。
【００３２】
底部閉鎖部１３を開き、その開封口から内容物を全部出し切った後、この紙袋１０を複数回使用する時には、この開封口をそのまま次の内容物を充填する口部として、この開封口から内容物を充填する。従って、１度目（最初）の使用時に口部１２とされ、内容物充填後に粘着剤層１８を利用して口部側のフラップ１６を壁面１７ａに貼り付けて封緘された口部閉鎖部が、２度目以降の使用ではそのまま底部閉鎖部となる。
【００３３】
底部閉鎖部１３を開いた開封口から内容物を充填した後は、再び前述した折曲げ部２３を形成するようにその端部を巻き込むように少なくとも２回以上折り曲げる。その際、最初に底部閉鎖部１３を形成した時とは異なり、紙製の締結バンド２０の両端は図４に示されるように紙袋１０の両側から突出した状態のままとしておく。
【００３４】
次いで、この折曲げ部２３の両側から突出している紙製の締結バンド２０の両端を縛りつつ当該折曲げ部２３の両端同士を強く絞り、最終的には折曲げ部２３の絞りが緩まないように紙製の締結バンド２０の両端をしっかりと縛って固定する。これにより、この紙袋１０の２度目以降の使用時の内容物充填口部を厳重に封緘できる。
【００３５】
しかも、この場合、最初の使用時に厳重に封緘された口部閉鎖部をそのまま底部閉鎖部として使用しているため、口部及び底部のいずれの個所からも内容物の漏れを起こす恐れはない。更に、２度目以降の使用時におけるこの紙袋の内容物充填後の荷姿（紙袋の形）は１回目とほとんど同じであり、そのためパレット等に積みやすく、荷崩れの心配もなくトラックなどの通常搬送手段で容易に輸送することができる。
【００３６】
前述した実施形態に係る複数回使用可能な紙袋では、開封した底部閉鎖部１３を、２度目以降の使用時に再封緘する手段として、紙製の締結バンド２０を階段切り端面における外方向突出側の外層端部２１と内層端部２２との間に配置して固着したが、締結バンド２０の取り付け位置は特に限定されるものではなく、外層端部２１の外表面又は内層端部２２の内表面に接着剤等で貼り付けておいてもよい。
【００３７】
なお、前述した実施形態における複数回使用可能な紙袋１０では、２度目以降の使用時に内容物充填口となるひだ付き筒状体１１の他端部が階段切りで形成されていたが、この他端部は直線切りであってもよい。
【００３８】
そして、直線切り端部に紙製の締結バンド２０を取り付ける場合には、図５に概略的に示されるように端部を巻き込む時に外側となる内外層壁面と折込みひだ部との山折り部に切り込みを入れ、この切り込み部に紙製の締結バンド２０を挟み込むように通して外層と内層の層間、又は外層の外表面若しくは内層の内表面に接着剤で固着するようにすることが好ましい。
【００３９】
なお、この紙袋１０を２度目以降に使用する場合には、内容物の充填口となる底部閉鎖部１３の開封後に残っている当て紙２２の残片はひだ付き筒状体１１の壁面１７ａ、１７ｂを破かないようにその接着部から奇麗に剥がしておくことも好ましい。
【００４０】
更に、この実施形態に係る複数回使用可能な紙袋では、最初に内容物を充填する口部の封緘手段が、壁面１７ａに設けられた例えば両面接着テープからなる粘着剤層１８であったが、この口部封緘手段としては従来のように口部階段面にホットメルト接着剤を塗布しておいてもよいことは言うまでもない。
【００４１】
最後に、この発明に係る複数回使用可能な紙袋の実際的な使用態様を例を挙げて説明すると、例えば落花生の栽培農家が、自家消費用としてこの発明に係る複数回使用可能な紙袋に入った玄米を購入したとする。この農家は、この玄米を別な容器に移すか、若しくは全部消費した後に前述したような手順で開封口から商品としての自家製落花生を充填して出荷することができる。
【００４２】
または、製粉工場が原料の小麦を購入して使用し、空になったこの発明に係る複数回使用の紙袋に製粉した小麦粉を入れて出荷することができ、このような使用態様は大麦粉、そば粉等の場合もまったく同じである。
【００４３】
【発明の効果】
以上説明したように、この発明における複数回使用可能な紙袋によれば、一度使用した紙袋を、漏れの発生がなく且つ内容積の変化を与えることなく簡単に複数回使用することができ、極めて経済的な紙袋を提供することができる。
【図面の簡単な説明】
【図１】この発明の一実施形態に係る複数回使用可能な紙袋を偏平な状態で見た概略的な平面図である。
【図２】図１に示される実施形態に係る複数回使用可能な紙袋を２−２線に沿って切断してその断面構造を模式的に示す縦断面図である。
【図３】図１に示される実施形態に係る複数回使用可能な紙袋の基本構成要素であるひだ付き筒状体を偏平な状態で示す概略的な平面図である。
【図４】図１に示される複数回使用可能な紙袋を最初に使用した後に底部閉鎖部を開封し、２度目以降の使用でこの底部閉鎖部の開封口を内容物充填口とした再使用可能な状態となっているこの紙袋を偏平状態で示す平面図である。
【図５】この発明の更に他の実施形態に係る複数回使用可能な紙袋であって、この紙袋の２度目以降の使用時に内容物充填口となる直線切り端部に配置された紙製の締結バンドの配置状態を概略的に示す部分的な斜視図である。
【符号の説明】
１０  複数回使用可能な紙袋
１１  ひだ付き筒状体
１２  最初の口部
１３  底部閉鎖部
１４  口部側の端部における最も下側の端縁
１５  折曲げ予定線
１６  口部側のフラップ
１７ａ  複数回使用可能な紙袋の一方の壁面
１７ｂ  複数回使用可能な紙袋の他方の壁面
１８  粘着剤層
１９  離型紙
２０  紙製の締結バンド
２１  ひだ付き筒状体他端側の外層端部
２２  ひだ付き筒状体他端側の内層端部
２３  折曲げ部
２４  当て紙
２５  接着剤
２６  開封テープ
２７  ひだ部
【図１】
0004083979.tif 000002
【図２】
0004083979.tif 000003
【図３】
0004083979.tif 000004
【図４】
0004083979.tif 000005
【図５】
0004083979.tif 000006